(57)【要約】      （修正有）【課題】重ね合わせて使用する掛け布団において、冬季の使用時における捲れ上がりを効果的に抑えることができる掛け布団を提供すること。【解決手段】充填物の充填量が少なくて薄い第１布団４と、充填物の充填量が多くて厚い第２布団６とを備え、第１布団の上側に第２布団を重ねて係合手段３０により装着して使用する掛け布団。第２布団６の幅方向の大きさは、第１布団４の幅方向の大きさよりも大きく、第１布団４の上側に第２布団６を重ね合わせた状態にて使用するとき、第２布団６の両側部が第１布団４の両側部から両側に延びている。この第２布団６の片側延長部１６及び他側延長部１８は、充填物が充填された幅の狭い複数の幅狭側部２９から構成されている。【選択図】図１
2019025194.tif 000002
【特許請求の範囲】
【請求項１】
充填物の充填量が少なくて薄い第１布団と、前記充填物の充填量が多くて厚い第２布団とを備え、前記第１布団の上側に前記第２布団を重ねて係合手段により装着して使用する掛け布団において、
前記第２布団の幅方向の大きさは、前記第１布団の幅方向の大きさよりも大きく、前記第１布団の上側に前記第２布団を重ね合わせた状態において、前記第２布団の両側部が前記第１布団の両側部から両側に延びていることを特徴とする掛け布団。
【請求項２】
前記第２布団は、前記第１布団と重ね合わされる第２布団本体部と、前記第２布団本体部から前記幅方向の片側に延びる片側延長部と、前記第２布団本体部から前記幅方向の他側に延びる他側延長部とを有していることを特徴とする請求項１に記載の掛け布団。
【請求項３】
前記第２布団の前記片側延長部及び前記他側延長部は、前記充填部が充填された幅の狭い複数の幅狭側部から構成されていることを特徴とする請求項２に記載の掛け布団。
【請求項４】
前記第２布団は、更に、前記第２布団本体部から下側に延びる下側延長部を有していることを特徴とする請求項２に記載の掛け布団。
【請求項５】
前記第２布団の前記第２布団本体部は、立体キルトにより縫製された複数の立体キルト充填室に仕切られており、また前記第１布団の第１布団本体部並びに前記第２布団の前記片側延長部及び前記他側延長部は、タタキキルトにより縫製されたタタキキルト充填室に仕切られていることを特徴とする請求項２に記載の掛け布団。
【請求項６】
布団本体部と、前記布団本体部から幅方向の片側に延びる片側延長部と、前記布団本体部から前記幅方向の他側に延びる他側延長部とを有し、前記布団本体部には、立体キルトにより縫製された立体キルト充填室が設けられ、前記片側延長部及び前記他側延長部には、タタキキルトにより縫製された複数のタタキキルト充填室が設けられており、前記片側延長部及び前記他側延長部の前記複数のタタキキルト充填室の幅は、前記布団本体部の前記複数の立体キルト充填室の幅よりも狭くなっていることを特徴とする掛け布団。
【請求項７】
前記片側延長部及び前記他側延長部の前記複数のタタキキルト充填室は、前記布団本体部に隣接して配設された第１タタキキルト充填室と、前記第１タタキキルト充填室の前記幅方向の外側に配設された第２タタキキルト充填室とを含み、前記第２タタキキルト充填室の幅は、前記第１タタキキルト充填室の幅よりも大きいことを特徴とする請求項６に記載の掛け布団。
【発明の詳細な説明】
【技術分野】
【０００１】
本発明は、寝返りなどの際に生じる掛け布団の捲れ上がりを抑えることができる掛け布団に関する。
【背景技術】
【０００２】
一般的に、夏には涼しい夏用掛け布団が用いられ、冬には暖かい冬用の掛け布団が用いられている。この夏用の掛け布団は、羽毛、麻、真綿、綿、ウール、合繊などの充填物の充填量が少なく、全体として薄いものに形成されている。また、冬用の掛け布団は、羽毛、真綿、綿、ウール、合繊などの充填物の充填量が多く、全体として厚いものに形成されている。
【０００３】
このような夏専用、冬専用のものとすることに代えて、例えば、第１〜第３布団から構成されたものも提案されている（例えば、特許文献１参照）。この掛け布団においては、第１及び第２布団では充填物としてウールが充填され、第３掛け布団では充填物として羽毛が充填され、例えば夏季では、第１布団が掛け布団として用いられ、例えば春季、秋季では、嵌合係合体を用いて重ね合わされた第１及び第２布団が一つの掛け布団として用いられ、更に、冬季では、嵌合係合体を用いて重ね合わされた第１〜第３布団が一つの掛け布団として用いられ、このように使用することにより、夏季は涼しく、冬は温かく就寝することができる。
【先行技術文献】
【特許文献】
【０００４】
【特許文献１】実用新案登録第３０３６２４２号公報
【発明の概要】
【発明が解決しようとする課題】
【０００５】
しかしながら、重ね合わせて使用するこの掛け布団においては、第１〜第３布団が同じ大きさに形成されており、それ故に、第１及び第２布団を重ね合わせて使用するときには、掛け布団としての重さは少し重くなり、また第１〜第３布団を重ね合わせて使用するときには、掛け布団としての重さは更に少し重くなるが、このような重さの変化だけでは、寝返りなどの際に生じる掛け布団の捲れ上がりによる外部との隙間の発生を充分に抑えることができず、大きく寝返りした場合などにおいては、掛け布団が大きく捲れ上がって隙間から外気（即ち、室内の空気）が掛け布団内に侵入し、冬季などにおいては寒さで目が覚めるということがある。
【０００６】
このような問題を解消するためには、第１〜第３布団の大きさ（特に、幅方向のサイズ）を大きくすることも考えられるが、第１〜第３布団の大きさを大きくするということは製造コストが高くなるとともに、夏季において第１布団のみを使用したとしても暑苦しくなる。
【０００７】
このような寝返りなどによる掛け布団の捲れ上がりは、重ね合わせて使用する掛け布団のみならず、１枚で使用する掛け布団においても同様の問題が生じる。
【０００８】
本発明の目的は、重ね合わせて使用する掛け布団において、夏季は涼しく使用し、冬季は温かく使用し、冬季の使用時における捲れ上がりによる外部との隙間の発生を効果的に抑えることができる掛け布団を提供することである。
【０００９】
また、本発明の他の目的は、一枚で使用する掛け布団において、使用時における捲れ上がりによる外部との隙間の発生を効果的に抑えることができる掛け布団を提供することである。
【課題を解決するための手段】
【００１０】
本発明の請求項１に記載の掛け布団は、充填物の充填量が少なくて薄い第１布団と、前記充填物の充填量が多くて厚い第２布団とを備え、前記第１布団の上側に前記第２布団を重ねて係合手段により装着して使用する掛け布団において、
前記第２布団の幅方向の大きさは、前記第１布団の幅方向の大きさよりも大きく、前記第１布団の上側に前記第２布団を重ね合わせた状態において、前記第２布団の両側部が前記第１布団の両側部から両側に延びていることを特徴とする。
【００１１】
また、本発明の請求項２に記載の掛け布団では、前記第２布団は、前記第１布団と重ね合わされる第２布団本体部と、前記第２布団本体部から前記幅方向の片側に延びる片側延長部と、前記第２布団本体部から前記幅方向の他側に延びる他側延長部とを有していることを特徴とする。
【００１２】
また、本発明の請求項３に記載の掛け布団では、前記第２布団の前記片側延長部及び前記他側延長部は、前記充填物が充填された幅の狭い複数の幅狭側部から構成されていることを特徴とする。
【００１３】
また、本発明の請求項４に記載の掛け布団では、前記第２布団は、更に、前記第２布団本体部から下側に延びる下側延長部を有していることを特徴とする。
【００１４】
また、本発明の請求項５に記載の掛け布団では、前記第２布団の前記第２布団本体部は、立体キルトにより縫製された複数の立体キルト充填室に仕切られており、また前記第１布団の第１布団本体部並びに前記第２布団の前記片側延長部及び前記他側延長部は、タタキキルトにより縫製されたタタキキルト充填室に仕切られていることを特徴とする。
【００１５】
また、本発明の請求項６に記載の掛け布団は、布団本体部と、前記布団本体部から幅方向の片側に延びる片側延長部と、前記布団本体部から前記幅方向の他側に延びる他側延長部とを有し、前記布団本体部には、立体キルトにより縫製された立体キルト充填室が設けられ、前記片側延長部及び前記他側延長部には、タタキキルトにより縫製された複数のタタキキルト充填室が設けられており、前記片側延長部及び前記他側延長部の前記複数のタタキキルト充填室の幅は、前記布団本体部の前記複数の立体キルト充填室の幅よりも狭くなっていることを特徴とする。
【００１６】
更に、本発明の請求項７に記載の掛け布団では、前記片側延長部及び前記他側延長部の前記複数のタタキキルト充填室は、前記布団本体部に隣接して配設された第１タタキキルト充填室と、前記第１タタキキルト充填室の前記幅方向の外側に配設された第２タタキキルト充填室とを含み、前記第２タタキキルト充填室の幅は、前記第１タタキキルト充填室の幅よりも大きいことを特徴とする。
【発明の効果】
【００１７】
本発明の請求項１に記載の掛け布団によれば、充填物の充填量が少なくて薄い第１布団と、充填物の充填量が多くて厚い第２布団とを備え、この第１布団の上側に第２布団を重ねて係合手段により装着して使用する。例えば、夏季などにおいては、第１布団を単独で使用し、充填物が少なくて薄いこの第１布団を使用することにより涼しく就寝することができる（この夏季においては、第１布団の捲れ上がりにより外部との隙間が生じても気温が高いので問題となることはない）。また、冬季などにおいては、第１布団の上側に第２布団を重ねて使用し、このように重ねて使用することにより、掛け布団の厚さが厚くなり、暖かくして就寝することができる。また、このように使用するので、夏季の収納においては第２布団のみを収納すればよく、収納スペースを小さくすることができ、また冬季においては収納するものがなく、収納スペースを必要としなくなる。
【００１８】
特に、第２布団の幅方向の大きさは、第１布団の幅方向の大きさよりも大きいので、第１布団の上側に第２布団を重ね合わせた状態においては、第２布団の両側部が第１布団の両側部から両側に延びて覆うようになり、従って、寝返りをしたとしても掛け布団（特に、第２布団）の捲れ上がりが抑えられ、これにより、外部との隙間の発生を抑えて暖かく就寝することができる。
【００１９】
また、本発明の請求項２に記載の掛け布団では、第２布団は、第２布団本体部と、この第２布団本体部から延びる片側延長部及び他側延長部とを有しているので、第２布団本体部にて寝返りなどをしてこの部分が内側から押し上げられたとしても片側延長部及び他側延長部により外部との隙間が発生し難く、暖かい状態を保つことができる。
【００２０】
また、本発明の請求項３に記載の掛け布団によれば、第２布団の片側延長部及び他側延長部は複数の幅狭側部を有しているので、かかる片側延長部及び他側延長部の捲れ上がりを抑え、外部との隙間の発生を効果的に抑えることができる。
【００２１】
また、本発明の請求項４に記載の掛け布団によれば、第２布団は、更に、第２布団本体部から下側に延びる下側延長部を有しているので、第２布団の下側延長部における捲れ上がりが抑えられ、これにより、第２布団本体部の下側においても外部との隙間の発生を抑えることができる。
【００２２】
また、本発明の請求項５に記載の掛け布団によれば、第２布団の第２布団本体部は、立体キルトにより縫製された複数の立体キルト充填室に仕切られているので、この立体キルト充填室に充填物を多く充填することができ、この第２布団本体部における保温効果を高めることができる。また、第１布団の第１布団本体部は、タタキキルトにより縫製された複数のタタキキルト充填室に仕切られているので、このタタキキルト充填室に充填する充填物を少なくし、夏用の薄い布団とすることができる。更に、第２布団の片側延長部及び他側延長部は、タタキキルトにより縫製されたタタキキルト充填室に仕切られているので、第２布団の第２布団本体部は充填物も多く保温効果も高いが、その両側の片側延長部及び他側延長部における充填物の使用量を少なくして外部との隙間の発生を抑えることができる。
【００２３】
また、本発明の請求項６に記載の掛け布団によれば、布団本体部には立体キルトにより縫製された立体キルト充填室が設けられているので、この立体キルト充填室に充填物を多く充填することができ、この第２布団本体部における保温効果を高めることができる。また、布団本体部から両側に延びる片側延長部及び他側延長部には、タタキキルトにより縫製された複数のタタキキルト充填室が設けられているので、充填物の使用量を少なくして外部との隙間の発生を抑えることができる。更に、片側延長部及び他側延長部の複数のタタキキルト充填室の幅は、布団本体部の複数の立体キルト充填室の幅よりも狭くなっているので、布団本体部にて寝返りなどをしてこの部分が内側から押し上げられたとしても片側延長部及び他側延長部が垂れ下がるようになるために上方に捲れ上がることが少なく、これにより、外部との隙間の発生を抑えることができる。
【００２４】
更に、本発明の請求項７に記載の掛け布団によれば、片側延長部及び他側延長部の複数のタタキキルト充填室は、布団本体部に隣接して配設された第１タタキキルト充填室の幅が、この第１タタキキルト充填室の外側に配設された第２タタキキルト充填室の幅よりも小さいので、第２タタキキルト充填室に充填される充填物の量の方が第１タタキキルト充填室に充填される充填物の量よりも多くなり、これにより、片側延長部及び他側延長部の捲れ上がりをより効果的に抑えることができる。
【図面の簡単な説明】
【００２５】
【図１】本発明に従う掛け布団の第１の実施形態を簡略的に示す斜視図。
【図２】図１の掛け布団における第１布団を簡略的に示す斜視図。
【図３】図１の掛け布団における第２布団を簡略的に示す斜視図。
【図４】図１の掛け布団の第１の使用状態を示す簡略断面図。
【図５】図１の掛け布団の第２の使用状態を示す簡略断面図。
【図６】掛け布団における第２布団の変形形態を示す斜視図。
【図７】本発明に従う掛け布団の第２の実施形態を簡略的に示す平面図。
【発明を実施するための形態】
【００２６】
以下、添付図面を参照して、本発明に従う掛け布団の各種実施形態について説明する。まず、図１〜図５を参照して、第１の実施形態の掛け布団について説明する。図１〜図３において、図示の掛け布団２は、充填物の充填量が少ない第１布団４と、充填物の充填量が多い第２布団６とを備え、第１布団４の充填物として例えば羽毛、麻、真綿、綿、ウール、合繊などを用いることができ、第２布団６の充填物として例えば羽毛、真綿、綿、ウール、合繊などを用いることができる。第１布団４は、後述する充填空間に充填される充填物の充填量が少なく、全体として薄く、夏用の布団として用いられる。また、第２布団６は、後述する充填空間に充填される充填物の充填量が多く、全体として第１布団の厚さよりも厚い。
【００２７】
図１及び図２を参照して第１布団４について説明すると、図示の第１布団４は、縦方向（就寝者Ｐが寝る方向であって、図１及び図２において右上から左下の方向、図４及び図５において紙面に対して垂直な方向）に幾分細長い矩形状の第１布団本体部８を備え、この第１布団本体部８にタタキキルト縫製が施され、かかるタタキキルト縫製により複数（この例では、縦列に６つ、横列に５つの合計３０個）のタタキキルト充填室１０（図４及び図５参照）が設けられ、これらタタキキルト充填室１０に充填物１２が所要の通りに充填されている。タタキキルト縫製とは、表生地と裏生地とをそのまま縫い付けて充填室をつくる縫製方法であり、このタタキキルト縫製により形成されるタタキキルト充填室１０の充填空間は小さく（特に、厚みが小さい）、これらの充填空間に充填される充填物１２は少なく、第１布団本体部８全体が薄くなり、このような第１布団４は、夏用の布団として用いられる。
【００２８】
次いで、図１及び図３を参照して第２布団６について説明すると、図示の第２布団６は、縦方向（図１及び図３において右上から左下の方向、図４及び図５において紙面に対して垂直な方向）に幾分細長い矩形状の第２布団本体部１４と、この第２布団本体部１４の幅方向（図１及び図３において左上から右下の方向、図４及び図５において左右方向）の片側（図１及び図３において左上側、図４及び図５において右側）に延びる片側延長部１６と、この幅方向の他側（図１及び図３において右下側、図４及び図５において左側）に延びる他側延長部１８とを備えている。
【００２９】
この形態では、第２布団本体部１４は第１布団４（即ち、第１布団本体部８）の大きさ（縦横のサイズ）と実質上同じであり、後述するように第１布団４の上側に第２布団６を重ねて使用するときには、図４及び図５から理解される如く、第２布団６の第２布団本体部１４は、第１布団４の第１布団本体部８全体に重ね合わされてその表面側を覆い、第２布団６の片側延長部１６は、第１布団４の片側部を越えて更に片側外方に延びるようになり、その他側延長部１８は、この第１布団４の他側部を超えて更に他側外方に延びるようになる。
【００３０】
この第２布団６においては、第２布団本体部１４に立体キルト縫製が施され、かかる立体キルト縫製により複数（この例では、縦列に５つ、横列に４つの合計２０個）の立体キルト充填室２０（図４及び図５参照）が設けられ、これら立体キルト充填室２０に充填物２２が所要の通りに充填されている。立体キルト縫製とは、表生地と裏生地との間に仕切り布（所謂、マチとなる部分）を介在させて縫い付けて充填室をつくる縫製方法であり、この立体キルト縫製により形成される立体キルト充填室２２の充填空間は大きく（特に、厚みが大きい）、これらの充填空間に充填される充填物２２は多く、第２布団本体部１４全体が第１布団４（第１布団本体部８）より厚くなる。
【００３１】
また、第２布団６の片側延長部１６及び他側延長部１８には、第１布団４と同様のタタキキルト縫製が施され、かかるタタキキルト縫製により複数（この例では、縦列に５つ、横列に２つの合計１０個）のタタキキルト充填室２４，２６（図４及び図５参照）が設けられ、これらタタキキルト充填室２４，２６に充填物２８が所要の通りに充填されて幅狭側部２９が構成される。かかるタタキキルト充填室２４，２６（幅狭側部２９）の幅は、立体キルト充填室２０の幅よりも狭く、またこのタタキキルト充填室２４，２６に充填される充填物２８の充填量は、第２布団本体部１４の立体キルト充填室２０に充填される充填物２２の充填量よりも少なく、従って、第２布団６の片側延長部１６及び他側延長部１８は、その第２布団本体部１４よりも薄くなっている。
【００３２】
尚、この形態では、片側延長部１６及び他側延長部１８に横方向に２列のタタキキルト充填室２４，２６を設けているが、かかる片側延長部１６及び他側延長部１８に１列又は３列以上のタタキキルト充填室２４，２６を設けるようにしてもよい。また、第１布団４におけるタタキキルト充填室１０（第１布団本体部８の充填空間）の大きさ、形状及び個数、また第２布団６における立体キルト充填室２０（第２布団本体部１４の充填空間）及びタタキキルト充填室２４，２６（片側延長部１６及び他側延長部１８の充填空間）の大きさ、形状及び個数などは、掛け布団の大きさ、その保温効果などを考慮して適宜設定することができる。
【００３３】
第１布団４と第２布団６とは、複数の係合手段３０を用いて着脱自在に装着される。係合手段３０は、詳細に図示していないが、例えば、相互に係脱自在であるそれ自体周知のもの、例えば凹状ホック３２及び凸状ホック３４から構成される。この形態では、各係合手段３０の凹状ホック３２が第１布団４側に配設され、この例では各凹状ホック３２が、第１布団本体部８の表面側（就寝者Ｐと接する側とは反対の面側）の外周部に縫い付けられている。また、各係合手段３０の凸状ホック３４は第２布団６側に配設され、この実施形態では各凸状ホック３４が、第２布団６の第２布団本体部１４の裏面側（就寝者Ｐと接する面側）の外周部に縫い付けられている。尚、これとは反対に、第１布団４側に凸状ホック３４を取り付け、第２布団６側に凹状ホック３２を取り付けるようにしてもよい。
【００３４】
この掛け布団２においては、第１布団４の表面側に第２布団６を重ね、複数の係合手段３０の凹状ホック３２と凸状ホック３４とを係合することにより、第１布団本体４と第２布団本体６とが着脱自在に取り付けられる。この状態の掛け布団２においては、その幅方向の中央部において第１布団４（その第１布団本体部８）と第２布団６（その第２布団本体部１４）とが重なり合って厚くなり、充分な保温効果を得ることができ、このような状態の掛け布団２は、冬用の掛け布団として好都合に用いることができる。
【００３５】
尚、この実施形態では、第１布団４における第１布団本体部８の両側端部にはダブルステッチが施され、このダブルステッチ部３６に係合手段３０の凹状ホック３２が取り付けられている。また、第２布団６における第２布団本体部１４の片側の側端部と片側延長部１６との接続部と、この第２布団本体部１４の他側の側端部と他側延長部１８との接続部にも、上述と同様のダブルステッチが施され、これらのダブルステッチ部３８に係合手段３０の凸状ホック３４が取り付けられている。このようなダブルステッチ部３６，３８に凹状ホック３２及び凸状ホック３４を取り付けることにより、それらの取付強度を高めることができる。
【００３６】
このような掛け布団２は、第１布団４と第２布団６とを取り付けたり、取り外したりして使用することができ、例えば、夏季においては気温が高いので、取り外しした第１布団４を夏用の掛け布団として使用し（このとき、第２布団６のみを収納するようになる）、また春季、秋季においては気温が穏やかであるので、取り外した第２布団６を春季、秋季用の掛け布団として使用し（このとき、第１布団４のみを収納するようになる）、更に冬季においては気温が低いので、複数の係合手段３０を係合させて重ね合わせた第１及び第２布団４，６を冬用の掛け布団として使用することができる（このとき、収納するものがなくなる）。
【００３７】
第１及び第２布団４，６を重ね合わせて冬用の掛け布団として使用する場合、例えば、図４に示すような使用状態となる。ベッドに適用した使用例を示す図４において、このベッド４０は、ベッド枠体４２を備え、このベッド枠体４２が複数（例えば、４本）の脚部４４を介して床面４６（例えば、フローリング表面）に設置される。ベッド枠体４２の上面には床板４８が設けられ、この床板４８の上側にマットレス５０を介して敷き布団５２が載置され、就寝者Ｐは、この敷き布団５２の表面側に寝るようになる。
【００３８】
この掛け布団２は、敷き布団５２の上側に横になった就寝者Ｐを覆うように掛けられ、掛けた状態においては、図４に示すように、例えば、第１布団４（第１布団本体部８）及び第２布団６の第２布団本体部１４が、就寝者Ｐを含むベッド４０の表面側を覆い、第２布団６の片側延長部１６がベッド４０の片側に垂れ下がった状態となり、その他側延長部１８がベッド４０の他側に垂れ下がった状態となる。従って、就寝者Ｐは、第１布団４及び第２布団６（第２布団本体部１４）により覆われ、その保温効果は高く、暖かく保たれた状態で寝ることができる。
【００３９】
また、このような就寝状態において、就寝者Ｐが例えば図４において左側（又は右側）に寝返りしたときには、第１布団４（第１布団本体部８）及び第２布団６の第２布団本体部１４が上方に押し上げられるが、第２布団６の片側延長部１６（又は他側延長部１８）がベッド４０の片側（又は他側）に垂れ下がった状態となっているために、この片側延長部１６（又は他側延長部１８）が大きく持ち上げられることはほとんどなく、仮に大きく持ち上げられたとしてもベッド４０の表面（敷き布団５２）に滑るように移動するのみであって、この片側延長部１６（又は他側延長部１８）において外部との隙間がほとんど生じることがなく、暖かい状態を保って就寝を続けることができる。また、この片側延長部１６及び他側延長部１８が複数の幅狭側部２９から構成されているので、寝返りの際に片側延長部１６及び他側延長部１８において外部との隙間が生じるのを効果的に抑えることができる。
【００４０】
この掛け布団２を使用する場合、例えば、図５に示すように使用することもできる。図５において、この使用例では、ベッド４０で就寝するのではなく、床面４６（例えば、畳表面）に敷き布団５２を敷き、この敷き布団５２に就寝者Ｐが寝るようになる。このような使用状態では、第２布団６の片側延長部１６及び他側延長部１８が敷き布団５２に載置され、例えば、就寝者Ｐと掛け布団２（第１布団４）との間の隙間をなくすように内側の第１布団４を就寝者Ｐの体に近づけるようにして使用される。
【００４１】
このような使用状態において、就寝者Ｐが寝返りしたときには、上述したと同様に、第１布団４（第１布団本体部８）及び第２布団６の第２布団本体部１４が上方に押し上げられるが、第２布団６の片側延長部１６及び他側延長部１８が敷き布団５２の上に弛んだような状態でもって位置しているので、この片側延長部１６又は他側延長部１８が大きく持ち上げられても外部との隙間がほとんど発生することがなく、従って、このような使用状態においても暖かい状態を保って就寝を続けることができる。
【００４２】
次に、図６を参照して、第２布団の変形形態について説明する。図６において、この第２布団６Ａにおいては、第２布団本体部１４、片側延長部１６及び他側延長部１８に加えて下側延長部６２が設けられ、これら第２布団本体部１４、片側延長部１６及び他側延長部１８については、上述したと同様の構成である。
【００４３】
この下側延長部６２は、第２布団本体部１４から上下方向下方（縦方向下方）に延び、下方向に複数列（この例では、２列）に幅狭端部６４が設けられており、この下側延長部６２（幅狭端部６４）の長さは、片側延長部１６の側端から他側延長部１８の側端まで延びている。この下側延長部６２には、第２布団６Ａの片側延長部１６及び他側延長部１８と同様のタタキキルト縫製が施され、このタタキキルト縫製により複数（この例では、縦列に２つ、横列に６つの合計１２個）のタタキキルト充填室（図示せず）が設けられ、これらタタキキルト充填室に充填物（図示せず）が所要の通りに充填されて幅狭端部６４が構成される。
【００４４】
かかるタタキキルト充填室（幅狭端部６４）の幅は、例えば、片側延長部１６及び他側延長部１８のタタキキルト充填室（図示せず）と同じ大きさでよく、このタタキキルト充填室（幅狭端部６４）に充填される充填物の充填量は、第２布団本体部１４の立体キルト充填室に充填される充填物の充填量よりも少なく、従って、第２布団６Ａの下側延長部６２は、その片側延長部１６及び他側延長部１８と同様に、第２布団本体部１４よりも薄くなっている。
【００４５】
また、第２布団６Ａにおける第２布団本体部１４、片側延長部１６及び他側延長部１８の下端部と下側延長部６２との接続部には、上述と同様のダブルステッチが施され、このダブルステッチ部６６に係合手段３０の例えば凸状ホックが取り付けられる。
【００４６】
この変形形態では、下側延長部６２に下方向に２列のタタキキルト充填室を設けているが、かかる下側延長部６２に１列又は３列以上のタタキキルト充填室を設けるようにしてもよい。尚、第２布団６Ａにおける下側延長部６２のタタキキルト充填室の大きさ、形状及び個数などは、掛け布団の大きさ、その保温効果などを考慮して適宜設定することができる。
【００４７】
この変形形態の第２布団６Ａを例えば図４に示すように用いた場合、その片側延長部１６がベッド４０の片側に垂れ下がった状態となり、その他側延長部１８がベッド４０の他側に垂れ下がった状態となり、またその下側延長部６２がベッド４０の下端側に垂れ下がった状態となる。従って、就寝者Ｐが横方向に寝返りしたときなどにおいては、主として片側延長部１６及び他側延長部１８により幅方向における外部との隙間の発生を抑えることができ、また就寝者Ｐが足を動かしたときなどにおいては、主として下側延長部６２により縦方向における外部との隙間の発生を抑えることができる。
【００４８】
上述の実施形態では、係合手段３０として凹状ホック３２及び凸状ホック３４の組合せを用いているが、このようなものに限定されず、その他周知の形態の係合手段、例えば雄型面ファスナ及び雌型面ファスナの組合せ、分離型ファスナ（係脱自在に噛み合う一対のファスナの組合せ）、係止ボタン及びボタン穴の組合せ、取付けひも及び結びひもの組合せ、取付けひも及びホック付きテープの組合せなどを用いることができる。
【００４９】
次に、図７を参照して、本発明に従う掛け布団の第２の実施形態について説明する。上述の第１の実施形態の掛け布団２（２Ａ）においては、第１布団４と第２布団６（６Ａ）とを重ね合わせて係合手段３０により取り付け可能に構成しているが、この第２の実施形態では、この掛け布団が冬用のものとして使用される。
【００５０】
図７において、図示の掛け布団２Ｂの構成は、第１の実施形態の第２布団６の構成と類似しており、縦方向（図７において上下方向）に幾分細長い矩形状の布団本体部１４Ｂと、この布団本体部１４Ｂの幅方向（図７において左右方向）の片側（図７において左側）に延びる片側延長部１６Ｂと、この幅方向の他側（図７において右側）に延びる他側延長部１８Ｂとを備えている。
【００５１】
この掛け布団２Ｂにおいては、図７に各種の線で示すように縫製される。即ち、図７に実線で示す部分（外周の輪郭線を除く）は、例えば４〜６ｃｍのマチでもって立体キルト縫製され、図７に破線で示す部分は、例えば３〜４ｃｍのマチでもって立体キルト縫製され、また図７において一点鎖線で示す部分は、タタキキルト縫製される。従って、布団本体部１４Ｂの中央部には、大きな矩形状の複数（この形態では、縦方向３列、横方向３列の合計９個）の立体キルト充填室（図示せず）が設けられ、片側延長部１６Ｂには、横方向外側に複数列（この形態では、横方向３列）のタタキキルト充填室（図示せず）が設けられ、また他側延長部１８Ｂには、横方向外側に複数列（この形態では、横方向３列）のタタキキルト充填室が設けられ、これらタタキキルト充填室に充填物（図示せず）を充填することにより片側延長部１６Ｂ及び他側延長部１８Ｂに横方向３列の幅狭側部７２が構成される。
【００５２】
片側延長部１６Ｂ及び他側延長部１８Ｂにおけるタタキキルト充填室（幅狭側部７２）の幅は、布団本体部１４Ｂにおける立体キルト充填室の幅よりも狭く、またタタキキルト充填室に充填される充填物の充填量は、立体キルト充填室に充填される充填物の充填量よりも少なく、このように構成されるので、掛け布団２Ｂの片側延長部１６Ｂ及び他側延長部１８Ｂは、その布団本体部１４Ｂよりも薄くなっている。
【００５３】
この実施形態では、片側延長部１６Ｂに設けられた３つの幅狭側部７２のうち布団本体部１４Ｂに隣接して位置する２つの幅狭側部７２（第１幅狭側部７２Ａであって、第１タタキキルト充填室）の幅は、この第１幅狭側部７２Ａの外側に位置する（換言すると、最も外側に位置する）幅狭側部７２（第２幅狭側部７２Ｂであって、第２タタキキルト充填室）の幅よりも小さく、充填物の充填量は、第１幅狭側部７２Ａの方が第２幅狭側部７２Ｂよりも少なくなっている。
【００５４】
また、他側延長部１８Ｂに設けられた３つの幅狭側部７２についても、布団本体部１４Ｂに隣接して位置する２つの第１幅狭側部７２Ａ（第１タタキキルト充填室）の幅は、この第１幅狭側部７２Ａの外側に位置する（換言すると、最も外側に位置する）第２幅狭側部７２Ｂ（第２タタキキルト充填室）の幅よりも小さく、この他側延長部１８Ｂにおいても、充填物の充填量は、第１幅狭側部７２Ａの方が第２幅狭側部７２Ｂよりも少なくなっている。このように第１幅狭側部７２Ａの外側に第２幅狭側部７２Ｂを設けることにより、片側延長部１６Ｂ及び他側延長部１８Ｂにおける捲れ上がりによる外部との隙間の発生を効果的に抑えることができる。
【００５５】
尚、この第２の実施形態では、片側延長部１６Ｂ及び他側延長部１８Ｂに横方向に３列のタタキキルト充填室（２列の第１幅狭側部７２Ａと１列の第２幅狭側部７２Ｂ）を設けているが、かかる片側延長部１６Ｂ及び他側延長部１８Ｂに２列又は４列以上のタタキキルト充填室を設けるようにしてもよい。例えば、片側延長部１６Ｂ及び他側延長部１８Ｂに２列の幅狭側部７２を設ける場合、布団本体部１４Ｂに接する内側に第１幅狭側部７２Ａを設け、その外側に第２幅狭側部７２Ｂを設けることができる。また、例えば片側延長部１６Ｂ及び他側延長部１８Ｂに４列の幅狭側部７２を設ける場合、布団本体部１４Ｂに接する内側の３列に第１幅狭側部７２Ａを設け、これらの外側に１列の第２幅狭側部７２Ｂを設ける、或いは布団本体部１４Ｂに接する内側の２列に第１幅狭側部７２Ａを設け、これらの外側に２列の第２幅狭側部７２Ｂを設けるようにしても良い。
【００５６】
この第２の実施形態では、更に、次のように構成されている。布団本体部１４Ｂの上端部（具体的には、上端側の一列）には、立体キルト縫製により上下方向（縦方向）に細長い縦長立体キルト充填室（図示せず）が設けられ、これら縦長立体キルト充填室に充填物を充填することにより、布団本体部１４Ｂの上端部全域にわたって縦長上端部７６が設けられている。このように縦長上端部７６を設けることにより、布団本体部１４Ｂの上端部が就寝者の胸に沿うようになり、これにより、就寝者の胸と掛け布団２Ｂとの間の隙間を少なくして暖かい状態を保つことができる。
【００５７】
また、布団本体部１４Ｂの下端部には、立体キルト縫製により上下方向に幅の狭い横長立体キルト充填室（図示せず）が設けられ、これら横長立体キルト充填室に充填物を充填することにより、布団本体部１４Ｂの下端部全域にわたって横長下端部７８が設けられている。このように横長下端部７８を設けることにより、就寝者が足を立てたり、寝返りをしたときに生じ易い布団本体部１４Ｂの下端部の捲れ上がりによる外部との隙間の発生を効果的に抑えることができる。
【００５８】
第２の実施形態のこのような形態の掛け布団２Ｂは、第１の実施形態における第２布団として用いることもでき、この場合、第２布団としての掛け布団２Ｂの布団本体部１４Ｂの大きさが第１布団の大きさに対応するようになり、この布団本体部１４Ｂの内側（ベッド側）に第１布団が取り付けられる。
【００５９】
以上、本発明に従う掛け布団の実施形態について説明したが、本発明はこれら実施形態に限定されるものではなく、本発明の範囲を逸脱することなく種々の変更乃至修正が可能である。
【符号の説明】
【００６０】
２，２Ａ，２Ｂ  掛け布団
４  第１布団
６，６Ａ  第２布団
８  第２布団本体部
１２，２２  充填物
１４，１４Ａ  第２布団本体部
１４Ｂ  布団本体部
１６，１６Ｂ  片側延長部
１８，１８ｂ  他側延長部
２９，７２  幅狭側部
３０  係合手段
６２  下側延長部
７２Ａ  第２幅狭側部
７２Ｂ  第２幅狭側部
７６  縦長上端部
７８  横長下端部
【図１】
2019025194.tif 000003
【図２】
2019025194.tif 000004
【図３】
2019025194.tif 000005
【図４】
2019025194.tif 000006
【図５】
2019025194.tif 000007
【図６】
2019025194.tif 000008
【図７】
2019025194.tif 000009